(57)【要約】【課題】浴槽の湯はりを行う湯はり運転の途中での給湯口への給湯を行う場合に、適切な温度状態の湯水を給湯口に供給することができる給湯システムを提供する。【解決手段】出湯バイパス管３４のバイパス弁３９の開度制御を行って給湯温度の温調を行う給湯運転の終了後の経過時間が所定時間に達する前に浴槽の湯はり運転が行われた場合に、湯はり運転の開始直後の所定期間は、バイパス弁３９を開弁状態に制御し、所定期間の経過後にバイパス弁３９を閉弁状態に制御する。【選択図】図１
2015025625.tif 000002
【特許請求の範囲】
【請求項１】
貯湯タンクと、前記貯湯タンク内の湯水を加熱する加熱手段と、前記貯湯タンク内の湯水が供給されるように前記貯湯タンクから導出され、終端に給湯口を有する出湯管と、前記貯湯タンクに給水するように該貯湯タンクに接続された給水管と、前記出湯管の途中に設けられた熱交換器を有し、該熱交換器で前記出湯管を流れる湯水をバーナの燃焼熱により加熱する燃焼式給湯器と、前記燃焼式給湯器の上流側における前記出湯管の途中部（Ａ）と該燃焼式給湯器の下流側における前記出湯管の途中部（Ｂ）とを連通させる出湯バイパス管と、該出湯バイパス管を開閉可能に該出湯バイパス管に設けられたバイパス弁と、前記燃焼式給湯器の熱交換器の下流側から前記途中部（Ｂ）に至る前記出湯管から分岐されて、浴槽に接続された湯はり管とを備え、前記出湯管の給湯口への給湯を行う給湯運転と前記浴槽への湯はりを行う湯はり運転とを実行可能に構成された給湯システムであって、
当該給湯システムの運転制御を行う運転制御手段を備えており、
該運転制御手段は、
前記給湯運転時に、前記燃焼式給湯器に上流側から流入する湯水を該燃焼式給湯器の加熱運転により加熱すると共に当該加熱された湯水に、該燃焼式給湯器の上流側から前記出湯バイパス管を通って下流側に流れる湯水を前記途中部（Ｂ）で混合させることにより、前記給湯口に供給する湯水の温度が目標給湯温度になるように前記燃焼式給湯器の加熱運転と前記バイパス弁の開度とを制御する処理であるバイパス混合給湯制御処理を実行する機能と、
前記バイパス混合給湯制御処理を実行する給湯運転の終了後、所定時間が経過する前に、前記湯はり運転を開始する場合には、該湯はり運転の開始直後の所定期間は、前記湯はり管を介して前記浴槽への湯水の供給を行わせつつ、前記バイパス弁を開弁状態に制御し、さらに、前記所定期間の経過後に前記バイパス弁を閉弁状態に制御する機能と、
前記バイパス混合給湯制御処理を実行する給湯運転の終了後、前記所定時間が経過した後に、前記湯はり運転を開始する場合には、前記湯はり管を介して前記浴槽への湯水の供給を行わせつつ、前記バイパス弁を直ちに閉弁状態に制御する機能とを有するように構成されていることを特徴とする給湯システム。
【請求項２】
請求項１記載の給湯システムにおいて、
前記運転制御手段は、前記バイパス混合給湯制御処理を実行する給湯運転の終了時から前記湯はり運転の開始時までの時間が長いほど、前記湯はり運転の開始直後の所定期間を短くするように該所定期間を設定するように構成されていることを特徴とする給湯システム。
【請求項３】
請求項１又は２記載の給湯システムにおいて、
前記運転制御手段は、前記バイパス混合給湯制御処理を実行する給湯運転の終了後、前記所定時間が経過する前に、前記湯はり運転を開始する場合に、該湯はり運転の開始直後の前記所定期間で前記バイパス弁を徐々に閉弁状態に近づけていくように該バイパス弁を制御するように構成されていることを特徴とする給湯システム。
【発明の詳細な説明】
【技術分野】
【０００１】
本発明は、貯湯タンクを有する給湯システムに関する。
【背景技術】
【０００２】
ヒートポンプ等の加熱装置により加熱した湯水を蓄える貯湯タンクを有する給湯システムとしては、従来、例えば、特許文献１に見られるものが知られている。
【０００３】
この給湯システムは、貯湯タンクの上部から導出された出湯管と、貯湯タンクの下部及び出湯管の途中部に接続された給水管と、出湯管の下流側に配置された燃焼式給湯器（燃焼熱により熱交換器を介して通水を加熱する給湯器）と、出湯管の上記途中部から下流側に流れる湯水を、燃焼式給湯器をバイパスさせて出湯管の上流側から下流側に流す出湯バイパス管とを有する。
【０００４】
さらに、燃焼式給湯器の熱交換器の下流側の出湯管には、該熱交換器で加熱された湯水を浴槽に供給する湯はり管が接続されており、この湯はり管を介して浴槽への湯はりを行うことも可能となっている。
【０００５】
この給湯システムでは、貯湯タンクの高温の湯が十分に存在している状況（湯切れ状態でない状況）では、燃焼式給湯器の加熱運転を行わずに、貯湯タンク内の高温の湯に水を混合してなる湯水を出湯管の終端の給湯口、あるいは、浴槽に供給する。
【０００６】
また、貯湯タンクの湯切れ状態になると、燃焼式給湯器の加熱運転を行うことで、貯湯タンクあるいは給水管から燃焼式給湯器に湯水を供給しつつ、該湯水を燃焼式給湯器の加熱運転により加熱し、その加熱された湯を出湯管の終端の給湯口、あるいは、浴槽に供給する。
【０００７】
より詳しくは、特許文献１に見られる給湯システムでは、出湯管の給湯口への給湯を行う給湯運転時には、貯湯タンクが湯切れ状態で無い場合には、前記出湯バイパス管に介装されたバイパス弁を開弁した状態で該出湯バイパス管を介して給湯を行い、貯湯タンクの湯切れ状態では、上記バイパス弁を閉弁して、給湯口に供給する湯水の全量を、貯湯タンク又は給水管側から燃焼式給湯器に流入させるようにしている。
【０００８】
また、浴槽の湯はりを行う湯はり運転時には、貯湯タンクが湯切れ状態であるか否かによらずに、上記バイパス弁を閉弁した状態で、貯湯タンク又は給水管から燃焼式給湯器に湯水を導入し、該燃焼式給湯器から湯はり管を介して浴槽の湯はりを行うようにしている。
【先行技術文献】
【特許文献】
【０００９】
【特許文献１】特開２０１１−１５３７９７号公報
【発明の概要】
【発明が解決しようとする課題】
【００１０】
ところで、貯湯タンクの湯切れ状態での給湯運転時に、前記特許文献１に見られる如く、給湯口に供給する湯水の全量を燃焼式給湯器に供給すると、該湯水の流量が大きい場合に燃焼式給湯器での圧力損失が大きくなりがちである。
【００１１】
そこで、当該給湯運転時に、出湯管バイパス管のバイパス弁の開度を調整する（出湯バイパス管の流量を調整する）ことで、燃焼式給湯器とバイパス出湯管との両方に湯水を流すと共に、燃焼式給湯器で加熱した湯とバイパス出湯管を通る湯水とを混合し、その混合により目標の給湯温度に調整した湯水を出湯管の給湯口に供給することが考えられる。
【００１２】
このようにした場合には、給湯口に供給する湯水の全量を燃焼式給湯器と出湯バイパス管とに分配できるので、燃焼式給湯器での圧力損失を低減できる。
【００１３】
しかるに、このようにした場合には、次のような不都合が発生する場合があることが本願発明者等の検討によって判明した。
【００１４】
すなわち、貯湯タンクの湯切れ状態での給湯運転時に、上記の如く燃焼式給湯器で加熱された湯と出湯バイパス管を通る湯水とを混合するようにした場合には、燃焼式給湯器の出口側の流路（熱交換器の下流側の流路）のうち、出湯バイパス管の接続箇所よも上流側の流路内の湯水は、目標給湯温度よりも高温なものとなる。
【００１５】
一方、特許文献１に見られる給湯システムでは、浴槽の湯はり運転時には、出湯バイパス管のバイパス弁を閉弁状態にするので、上記のような給湯運転を行った直後に、浴槽の湯はり運転を行うと、燃焼式給湯器の出口側の流路中に比較的高温の湯水が残存することとなる。
【００１６】
このため、この湯はり運転中に、給湯運転を再開すると、燃焼式給湯器の出口側の流路中に残存していた湯水が目標給湯温度よりも高い温度状態で給湯口に供給されてしまう場合がある。
【００１７】
本発明はかかる背景に鑑みてなされたものであり、浴槽の湯はりを行う湯はり運転の途中での給湯口への給湯を行う場合に、適切な温度状態の湯水を給湯口に供給することができる給湯システムを提供することを目的とする。
【課題を解決するための手段】
【００１８】
本発明の給湯システムは、かかる目的を達成するために、貯湯タンクと、前記貯湯タンク内の湯水を加熱する加熱手段と、前記貯湯タンク内の湯水が供給されるように前記貯湯タンクから導出され、終端に給湯口を有する出湯管と、前記貯湯タンクに給水するように該貯湯タンクに接続された給水管と、前記出湯管の途中に設けられた熱交換器を有し、該熱交換器で前記出湯管を流れる湯水をバーナの燃焼熱により加熱する燃焼式給湯器と、前記燃焼式給湯器の上流側における前記出湯管の途中部（Ａ）と該燃焼式給湯器の下流側における前記出湯管の途中部（Ｂ）とを連通させる出湯バイパス管と、該出湯バイパス管を開閉可能に該出湯バイパス管に設けられたバイパス弁と、前記燃焼式給湯器の熱交換器の下流側から前記途中部（Ｂ）に至る前記出湯管から分岐されて、浴槽に接続された湯はり管とを備え、前記出湯管の給湯口への給湯を行う給湯運転と前記浴槽への湯はりを行う湯はり運転とを実行可能に構成された給湯システムであって、
当該給湯システムの運転制御を行う運転制御手段を備えており、
該運転制御手段は、
前記給湯運転時に、前記燃焼式給湯器に上流側から流入する湯水を該燃焼式給湯器の加熱運転により加熱すると共に当該加熱された湯水に、該燃焼式給湯器の上流側から前記出湯バイパス管を通って下流側に流れる湯水を前記途中部（Ｂ）で混合させることにより、前記給湯口に供給する湯水の温度が目標給湯温度になるように前記燃焼式給湯器の加熱運転と前記バイパス弁の開度とを制御する処理であるバイパス混合給湯制御処理を実行する機能と、
前記バイパス混合給湯制御処理を実行する給湯運転の終了後、所定時間が経過する前に、前記湯はり運転を開始する場合には、該湯はり運転の開始直後の所定期間は、前記湯はり管を介して前記浴槽への湯水の供給を行わせつつ、前記バイパス弁を開弁状態に制御し、さらに、前記所定期間の経過後に前記バイパス弁を閉弁状態に制御する機能と、
前記バイパス混合給湯制御処理を実行する給湯運転の終了後、前記所定時間が経過した後に、前記湯はり運転を開始する場合には、前記湯はり管を介して前記浴槽への湯水の供給を行わせつつ、前記バイパス弁を直ちに閉弁状態に制御する機能とを有するように構成されていることを特徴とする（第１発明）。
【００１９】
かかる第１発明において、前記バイパス混合給湯制御処理を実行する給湯運転では、前記途中部（Ｂ）よりも燃焼式熱交換器側の出湯管の湯水が目標給湯温度よりも高い温度になるように前記燃焼式熱交換器の加熱運転が行われることとなる。
【００２０】
ここで、前記バイパス混合給湯制御処理を実行する給湯運転の終了後、所定時間経過する前の状況は、当該給湯運転の終了直後の状況であるので、前記途中部（Ｂ）よりも燃焼式熱交換器側の出湯管の湯水の温度が十分に低下していないことが予測される状況である。
【００２１】
そして、このような状況で、前記湯はり運転を開始する場合には、前記バイパス弁は、湯はり運転の開始直後の所定期間では、開弁状態に制御され、該所定期間の経過後に閉弁状態に制御される。
【００２２】
この場合、湯はり運転の開始直後の所定期間では、バイパス弁を開弁状態として、湯はり管を介して浴槽への湯水の供給を行うことで、前記出湯管の途中部（Ａ）に上流側から流入する湯水の一部が、出湯バイパス管及び途中部（Ｂ）を経由して、該途中部（Ｂ）よりも燃焼式給湯器側の出湯管に下流側から流入することとなる。
【００２３】
また、この場合に、前記出湯管の途中部（Ａ）に上流側から流入する湯水は、通常、前記バイパス混合給湯制御処理を実行する給湯運転の終了直後において、途中部（Ｂ）よりも燃焼式給湯器側の出湯管に残留する湯水の温度よりも低い。
【００２４】
このため、前記途中部（Ｂ）よりも燃焼式熱交換器側の出湯管の湯水の温度を、前記湯はり運転の開始直後の前記所定期間内（バイパス弁が開弁状態に制御される期間内）で、速やかに低下させることが可能となる。
【００２５】
従って、該所定期間の経過後におけるバイパス弁の閉弁状態での湯はり運転中に、給湯口の開栓によって該給湯口への給湯が開始されても、その開始直後に、該給湯口に目標給湯温度に比して高温な湯水が給湯されるのが防止される。
【００２６】
なお、上記所定期間としては、例えば、湯はり運転の開始時から、第２の所定時間が経過するまでの期間等を採用することができる。この場合、第２の所定時間としては、例えば、あらかじめ定めた一定時間、あるいは、前記バイパス混合給湯制御処理を実行する給湯運転の終了時から湯はり運転の開始時までの経過時間等に応じて可変的に設定した時間を採用することができる。前記所定期間は、例えば、その期間内で前記途中部（Ｂ）よりも燃焼式熱交換器側の出湯管の湯水の温度を目標給湯温度と同程度かもしくはそれ以下に温度に低下させ得るように設定されていればよい。
【００２７】
また、湯はり運転の開始直後の所定期間におけるバイパス弁の開弁状態で、給湯口の開栓によって該給湯口への給湯が開始された場合、その開始直後には、途中部（Ｂ）よりも燃焼式熱交換器側の出湯管から該途中部（Ｂ）に向かって流れてくる湯水と、途中部（Ａ）の上流側から出湯バイパス管を通って途中部（Ｂ）に流れてくる湯水とが、該途中部（Ｂ）で混合され、その混合後の湯水が給湯口に供給されることとなる。
【００２８】
このため、湯はり運転の開始直後の所定期間内で給湯口への給湯を開始しても、その開始直後に、該給湯口に目標給湯温度に比して高温な湯水が給湯されるのを防止することができる。
【００２９】
また、前記バイパス混合給湯制御処理を実行する給湯運転の終了後、前記所定時間が経過した後に、湯はり運転が開始された場合には、前記途中部（Ｂ）よりも燃焼式熱交換器側の出湯管の湯水の温度は、該湯はり運転の開始前の放熱によって、該湯はり運転の開始時には十分に低下している。
【００３０】
このため、かかる湯はり運転中に、給湯口への給湯が開始されても、その開始直後に、該給湯口に目標給湯温度に比して高温な湯水が給湯されるのを防止することができる。
【００３１】
よって、第１発明によれば、適切な温度状態の湯水を給湯口に供給することができる。
【００３２】
また、前記所定期間の経過後の湯はり運転時、あるいは、前記バイパス混合給湯制御処理を実行する給湯運転の終了後、前記所定時間が経過した後に開始された湯はり運転時には、バイパス弁が閉弁状態に制御されるので、前記出湯管の途中部（Ａ）に上流側から流入する湯水の全量が、燃焼式給湯器に上流側から供給されることとなる。
【００３３】
このため、燃焼式給湯器での湯水の加熱量を制御し、あるいは、前記途中部（Ａ）の上流側で貯湯タンクから出湯管に供給される湯水に、水を混合させつつ、その混合比を制御することによって、浴槽に供給する湯水の温度を精度よく目標温度に制御することが可能となる。
【００３４】
上記第１発明では、前記運転制御手段は、前記バイパス混合給湯制御処理を実行する給湯運転の終了時から前記湯はり運転の開始時までの時間が長いほど、前記湯はり運転の開始直後の所定期間を短くするように該所定期間を設定するように構成されていることが好ましい（第２発明）。
【００３５】
すなわち、前記バイパス混合給湯制御処理を実行する給湯運転の終了時から前記湯はり運転の開始までの時間が長いほど、該湯はり運転の開始時において、前記途中部（Ｂ）よりも燃焼式熱交換器側の出湯管の湯水の温度は、より低下していると考えらえる。
【００３６】
従って、前記湯はり運転の開始直後の所定期間を上記の如く設定することで、該所定期間、すなわち、バイパス弁を開弁状態に制御する期間を必要最小限の時間の期間にすることができる。
【００３７】
また、上記第１発明又は第２発明では、前記運転制御手段は、前記バイパス混合給湯制御処理を実行する給湯運転の終了後、前記所定時間が経過する前に、前記湯はり運転を開始する場合に、該湯はり運転の開始直後の前記所定期間で前記バイパス弁を徐々に閉弁状態に近づけていくように該バイパス弁を制御するように構成されていることが好ましい（第３発明）。
【００３８】
この第３発明によれば、前記所定期間内で、給湯口への給湯を開始する場合に、該給湯の開始タイミングが、前記所定期間の終端に近いほど、該給湯の開始時におけるバイパス弁の開度が閉弁側に抑制されることとなる。
【００３９】
従って、該給湯の開始タイミングが、前記所定期間の終端に近いほど、該給湯の開始時に、出湯バイパス管を通って途中部（Ｂ）に流れてくる湯水の流量が抑制される。
【００４０】
一方、前記途中部（Ｂ）よりも燃焼式熱交換器側の出湯管の湯水の温度は、一般に、前記所定期間の終端に近いほど、低下する。
【００４１】
従って、第３発明によれば、上記給湯の開始時に、出湯バイパス管を通って途中部（Ｂ）に流れてくる湯水の流量が、前記途中部（Ｂ）よりも燃焼式熱交換器側の出湯管の湯水の温度に対して過剰になるのが抑制される。ひいては、給湯口に供給する湯水の温度を目標温度に近づけることを速やかに行うようにすることができる。
【図面の簡単な説明】
【００４２】
【図１】本発明の一実施形態の給湯システムの構成を示す図。
【図２】図１の給湯システムの作動を示すフローチャート。
【図３】図１の給湯システムの作動を示すフローチャート。
【図４】図３のＳＴＥＰ２０の処理の内容を示すフローチャート。
【発明を実施するための形態】
【００４３】
本発明の一実施形態を図１〜図４を参照して以下に説明する。
【００４４】
図１を参照して、本実施形態の給湯システムは、燃焼式給湯器１０と、タンクユニット３０と、ヒートポンプユニット６０とを備える。
【００４５】
ヒートポンプユニット６０は、本発明における加熱手段としてのヒートポンプ６１を備える。このヒートポンプ６１は、圧縮機６２、凝縮器６３、減圧器６４、及び蒸発器６５と、これらを経由させて冷媒を循環させる冷媒循環路６６とを備えている。
【００４６】
この場合、凝縮器６３は、後述の貯湯タンク３１内の湯水と冷媒との熱交換を行うことで該湯水を加熱する熱交換器としての機能を有するものであり、貯湯タンク３１と凝縮器６３との間で湯水を循環させるタンク循環路６７を介して貯湯タンク３１に接続されている。タンク循環路６７は、貯湯タンク３１の下部及び上部をそれぞれ凝縮器６３の湯水の流入口、流出口に接続している。そして、タンク循環路６７には、循環ポンプ６８が介装されている。
【００４７】
従って、循環ポンプ６８を作動させることで、貯湯タンク３１内の湯水が貯湯タンク３１の下部から凝縮器６３に供給される。そして、該湯水は、凝縮器６３を経由した後に、貯湯タンク３１の上部から該貯湯タンク３１内に還流する。このように貯湯タンク３１内の湯水をタンク循環路６７で循環させつつ、ヒートポンプ６１を作動させることで、該湯水が、凝縮器６３における冷媒（圧縮機６２で圧縮されて昇温した冷媒）との熱交換によって加熱される。
【００４８】
なお、図１では、循環ポンプ６８は、貯湯タンク３１の下部から凝縮器６３に至る流路に介装されているが、凝縮器６３から貯湯タンク３１の上部に至る流路に介装されていてもよい。
【００４９】
ヒートポンプユニット６０は、さらにヒートポンプ６１及び循環ポンプ６８の作動制御を行う機能を有するヒートポンプコントローラ７１を備えている。該ヒートポンプコントローラ７１は、マイクロコンピュータ等を含む電子回路ユニットにより構成されており、後述のタンクコントローラ４１と相互に通信可能とされている。
【００５０】
また、タンク循環路６７には、貯湯タンク３１に凝縮器６３から供給される湯水の温度を検出する温度センサ７２と、凝縮器６３に貯湯タンク３１から供給される湯水の温度を検出する温度センサ７３とが装着されている。
【００５１】
ヒートポンプコントローラ７１には、後述のタンクコントローラ４１から貯湯タンク３１内の湯水を加熱すべき旨の貯湯沸き上げ指令を示すデータ等が入力されると共に、上記温度センサ７２，７３の検出データが入力される。
【００５２】
そして、ヒートポンプコントローラ７１は、タンクコントローラ４１から貯湯沸き上げ指令を受信すると、貯湯タンク３１内の湯水を加熱させるように、ヒートポンプ６１及び循環ポンプ６８の作動を制御する。
【００５３】
この場合、ヒートポンプコントローラ７１は、上記温度センサ７２，７３の検出温度を用いて、所定の制御プログラムを実行することで、貯湯タンク３１内の湯水の温度を、給湯システムの基本動作モードに応じて規定される所定の貯湯沸き上げ温度まで昇温させるように、ヒートポンプ６１の出力と循環ポンプ６８の回転数（ひいては、タンク循環路６７を流れる湯水の流量）とを制御する。
【００５４】
次に、タンクユニット３０は、ヒートポンプ６１により加熱された湯水を貯蔵する貯湯タンク３１と、出湯管３２、給水管３３及び出湯バイパス管３４とを備える。
【００５５】
出湯管３２は、台所、洗面所、浴室等に配置される給湯口に給湯するための流路である。この出湯管３２は、貯湯タンク３１の上部から導出され、燃焼式給湯器１０（詳しくは、後述の熱交換器１３）を経由した後、終端の給湯口に至るように配管されている。出湯管３２の終端の給湯口には、例えばカラン３５が接続される。
【００５６】
なお、出湯管３２の終端の給湯口は複数に分岐していてもよく、また、カラン３５の代わりに、シャワー等が接続されていてもよい。
【００５７】
給水管３３は、水道管等から供給される水を貯湯タンク３１と出湯管３２とに給水する流路である。この給水管３３は、その下流側の途中部３３ｘから第１分岐給水管３３ａと第２分岐給水管３３ｂとに分岐されている。そして、第１分岐給水管３３ａが貯湯タンク３１の下部に接続され、第２分岐給水管３３ｂが、出湯管３２の上流側の第１途中部３２ｘに接続（合流）されている。
【００５８】
従って、給水管３３は、第１分岐給水管３３ａを介して貯湯タンク３１にその下部から給水すると共に、第２分岐給水管３３ｂを介して出湯管３２の第１途中部３２ｘに給水するように構成されている。なお、給水管３３の途中部３３ｘよりも上流側の箇所には減圧弁３６が介装されている。
【００５９】
出湯管３２の第１途中部３２ｘは、換言すれば、給水管３３から第１分岐給水管３３ａを介して貯湯タンク３１に給水することに伴い該貯湯タンク３１から出湯管３２に供給される湯水と、給水管３３から第２分岐給水管３３ｂを介して出湯管３２に供給される水との混合部である。
【００６０】
そして、貯湯タンク３１から出湯管３２に供給される湯水の流量（出湯管３２の第１途中部３２ｘに貯湯タンク３１側から流入する湯水の流量）であるタンク出湯流量を調整するための流量調整弁３７が、貯湯タンク３１と第１途中部３２ｘとの間で出湯管３２に介装されている。また、給水管３３から第２分岐給水管３３ｂを介して出湯管３２の第１途中部３２ｘに供給される水の流量である混合給水流量を調整するための流量調整弁３８が第２分岐給水管３３ｂに介装されている。
【００６１】
これらの流量調整弁３７，３８により、それぞれタンク出湯流量、混合給水流量を調整することで、貯湯タンク３１から出湯管３２に供給される湯水と給水管３３から第２分岐給水管３３ｂを経由して出湯管３２に供給される水との混合比（詳しくは、タンク出湯流量と混合給水流量との比）を変更することが可能となっている。以降この混合比をタンク出湯混合比という。
【００６２】
なお、流量調整弁３７，３８を上記の如く備える代わりに、例えば、出湯管３２の第１途中部３２ｘに三方弁を介装し、この三方弁により上記タンク出湯混合比を変更するようにしてもよい。
【００６３】
出湯バイパス管３４は、出湯管３２の第１途中部３２ｘから下流側に流れる湯水（以降、タンク出湯混合湯水という）を、燃焼式給湯器１０の上流側から下流側にバイパスさせて流す（燃焼式給湯器１０を経由させずに流す）ための流路である。
【００６４】
この出湯バイパス管３４は、燃焼式給湯器１０の上流側における出湯管３２の第２途中部３２ｙと燃焼式給湯器１０の下流側における出湯管３２の第３途中部３２ｚとを連通させるように配管されている。なお、上記第２途中部３２ｙは、第１途中部３２ｘよりも下流側の途中部である。また、第２途中部３２ｙ、第３途中部３２ｚはそれぞれ本発明における途中部（Ａ）、途中部（Ｂ）に相当する。
【００６５】
そして、出湯バイパス管３４には、該出湯バイパス管３４を開閉可能な流量調整弁により構成されたバイパス弁３９が介装されている。
【００６６】
従って、バイパス弁３９を閉弁した場合を除き、出湯管３２の第１途中部３２ｘから下流側に流れるタンク出湯混合湯水は、その一部が燃焼式給湯器１０の内部の流路を通って下流側に流れ、残部が出湯バイパス管３４を通って下流側に流れる。そして、出湯管３２の終端の給湯口への給湯を行う場合には、燃焼式給湯器１０から出湯管３２の下流側に流れてくる湯水と、出湯バイパス管３４を流れる湯水とが第３途中部３２ｚ（出湯バイパス管３４の出口）で合流して混合され、その混合された湯水（以降、バイパス出口混合湯水という）が、出湯管３２の終端の給湯口に供給されて出湯する。
【００６７】
この場合、バイパス弁３９の開度を調整する（ひいては、出湯バイパス管３４の流量を調整する）ことで、第３途中部３２ｚに燃焼式給湯器１０から流入する湯水の流量と、出湯バイパス管３４から流入する湯水の流量との比率である混合比（以降、バイパス出口混合比という）を調整することができる。
【００６８】
なお、バイパス弁３９を閉弁した状態では、出湯管３２の第１途中部３２ｘから下流側に流れる上流側混合湯水の全体が燃焼式給湯器１０に供給されることとなる。
【００６９】
タンクユニット３０は、さらに、前記流量調整弁３７，３８、及びバイパス弁３９の作動制御等を行う機能を有するタンクコントローラ４１を備えている。該タンクコントローラ４１は、マイクロコンピュータ等を含む電子回路ユニットにより構成されており、ヒートポンプコントローラ７１及び後述の給湯コントローラ２１と相互に通信可能とされている。
【００７０】
また、タンクコントローラ４１には、使用者が給湯システムの運転操作等を行うためのリモコン４３が接続されている。
【００７１】
リモコン４３は、図示しない操作スイッチの操作、あるいは音声入力等に応じて、給湯システムの給湯運転のオンオフ、浴槽の湯はり運転のオンオフ、目標給湯温度、目標湯はり温度等の運転操作情報をタンクコントローラ４１に指示する端末機器である。
【００７２】
また、タンクユニット３０の貯湯タンク３１、出湯管３２、給水管３３には、以下に説明する種々のセンサが組み付けられており、これらのセンサの検出データもタンクコントローラ４１に入力される。
【００７３】
すなわち、貯湯タンク３１には、該貯湯タンク３１の湯切れ状態（貯湯タンク３１内に所定温度以上の湯が無いか、もしくはほとんど無いと見なせる状態）を検知するためのタンク温度センサ４８が付設されている。
【００７４】
このタンク温度センサ４８は、貯湯タンク３１の所定の高さ位置で該貯湯タンク３１の上部の外周面又は内部に装着されており、その高さ位置での貯湯タンク３１内の湯水の温度を検出する。
【００７５】
ここで、貯湯タンク３１内の湯水が加熱された状態で、給水管３３の第１分岐給水管３３ａから貯湯タンク３１への給水が行われると、該給水に伴い、貯湯タンク３１内の高温の湯が貯湯タンク３１の上部から出湯管３２に供給される。これに伴い、基本的には、貯湯タンク３１内の下部に低温の水の層が生成されると共に上部に高温の湯の層が生成される。そして、貯湯タンク３１への給水の進行に伴い、貯湯タンク３１の下部の低温層が増加すると共に、上部の高温層が減少していく。
【００７６】
このため、タンク温度センサ４８の検出温度が所定温度よりも高い状態は、貯湯タンク３１の残湯量が、タンク温度センサ４８の高さ位置に対応する所定量（タンク温度センサ４８よりも上側の貯湯タンク３１の容量）よりも多いことを示し、該検出温度が所定温度よりも低い状態は、該残湯量が上記所定量よりも少ないことを示す。
【００７７】
そこで、本実施形態では、タンクコントローラ４１は、タンク温度センサ４８の検出温度を所定温度と比較し、該検出温度が所定温度よりも低い場合に、貯湯タンク３１の湯切れ状態が発生したことを検知する。
【００７８】
また、給水管３３のうちの、途中部３３ｘよりも上流側の箇所には、該給水管３３を流れる水の流量（貯湯タンク３１及び出湯管３２へのトータルの給水流量）を検出する流量センサ４９が装着され、第２分岐給水管３３ｂには、給水温度を検出する温度センサ５０が装着されている。
【００７９】
また、出湯管３２の第１途中部３２ｘよりも上流側の箇所には、前記タンク出湯流量を検出する流量センサ５１と、貯湯タンク３１側から第１途中部３２ｘに流入する湯水の温度を検出する温度センサ５２とが装着されている。
【００８０】
さらに、出湯管３２の第１途中部３２ｘと第２途中部３２ｙとの間の箇所には、第１途中部３２ｘから下流側に流れるタンク出湯混合湯水の温度を検出する温度センサ５３が装着され、第３途中部３２ｚの下流側の箇所には、給湯口から出湯させる湯水の温度（給湯温度）を検出する温度センサ５４が装着されている。
【００８１】
なお、給水温度を検出するための温度センサ５０は、途中部３３ｘよりも上流側の給水管３３、あるいは、第１分岐給水管３３ａに装着されていてもよい。また、流量センサ４９，５１のいずれか一方の代わりに、第２分岐給水管３３ｂを流れる水の流量を検出する流量センサが該第２分岐給水管３３ｂに装着されていてもよい。
【００８２】
そして、タンクコントローラ４１は、モード設定スイッチ４２で設定された基本動作モード、リモコン４３から与えられる運転操作情報、上記各センサ４４〜５４の検出データを用いて、所定の制御プログラムを実行する。
【００８３】
この場合、タンクコントローラ４１は、制御プログラムを実行することで実現される機能として、ヒートポンプコントローラ７１と協働して、ヒートポンプユニット６０に係る制御を行う機能を有する。この制御では、タンクコントローラ４１は、タンク温度センサ４８の検出温度を監視し、該検出温度があらかじめ設定された貯湯沸き上げ開始温度以下になると、ヒートポンプコントローラ７１に前記貯湯沸き上げ指令を出力する。なお、貯湯沸き上げ開始温度は、前記沸き上げ温度よりも低い温度である。
【００８４】
また、タンクコントローラ４１は、タンク温度センサ４８の検出温度に基づいて、前記した如く貯湯タンク３１の湯切れ状態を検知する機能を有する。なお、この場合、貯湯タンク３１が湯切れ状態を検知するために、タンク温度センサ４８の検出温度と比較する所定温度として、給湯運転時（出湯管３２の給湯口への給湯を行う運転時）には、リモコン４３で設定された目標給湯温度が使用され、浴槽の湯はり運転時には、リモコン４３で設定された目標湯はり温度が使用される。
【００８５】
さらに、タンクコントローラ４１は、給湯コントローラ２１と協働することで、本発明における運転制御手段としての機能を有している。この運転制御手段としての機能を概略的に説明すると、タンクコントローラ４１は、貯湯タンク３１の湯切れ状態が発生していない場合での給湯運転時又は湯はり運転時には、燃焼式給湯器１０の加熱運転（詳しくは、燃焼式加熱源１１による湯水の加熱を行う運転）を禁止した状態で、前記タンク出湯混合比を流量調整弁３７，３８を介して調整することで、出湯管３２の給湯口への給湯温度又は浴槽の湯はり温度を各々、目標給湯温度、目標湯はり温度に制御する。
【００８６】
また、貯湯タンク３１の湯切れ状態での給湯運転時には、タンクコントローラ４１は、燃焼式給湯器１０の加熱運転を行わせつつ、前記バイパス出口混合比をバイパス弁３９を介して調整することで、給湯口に給湯する湯水の給湯温度を目標給湯温度に制御する。
【００８７】
さらに、貯湯タンク３１の湯切れ状態での湯はり運転時には、タンクコントローラ４１は、燃焼式給湯器１０の加熱運転を行わせる。この場合、タンクコントローラ４１は、バイパス弁３９を基本的には、閉弁状態に制御するが、湯はり運転の開始初期に一時的に開弁状態に制御する場合もある。なお、湯はり運転では、浴槽に供給する湯水の温度は、燃焼式給湯器１０の加熱運転によって、目標湯はり温度に制御される。
【００８８】
次に、燃焼式給湯器１０は、出湯管３２により上流側から供給される湯水を燃焼式加熱源１１により適宜加熱するものである。この燃焼式加熱源１１は、ガスバーナ等のバーナ１２と、バーナ１２の燃焼熱が付与される熱交換器１３とを備えている。そして、燃焼式給湯器１０に導入された出湯管３２は、上流側の第２途中部３２ｙから供給される湯水を、熱交換器１３を経由させて、下流側の第３途中部３２ｚに流すように配管されている。
【００８９】
燃焼式給湯器１０は、さらに、熱交換器１３の上流側から下流側に該熱交換器１３をバイパスさせて湯水を流すためのバイパス管１４と、熱交換器１３の下流側から図示しない浴槽に湯はり用の湯水を供給する湯はり管１５とを備える。
【００９０】
バイパス管１４は、燃焼式給湯器１０の内部の出湯管３２における熱交換器１３の上流側の途中部と下流側の途中部とを接続している。そして、燃焼式給湯器１０の内部の出湯管３２には、熱交換器１３の上流側におけるバイパス管１４との接続箇所に、該接続箇所から熱交換器１３に流れる湯水の流量と、バイパス管１４に流れる湯水の流量との比率であるバイパス比を調整するためのバイパスサーボ弁１６が介装されている。
【００９１】
また、燃焼式給湯器１０の内部の出湯管３２には、バイパスサーボ弁１６の上流側の箇所に、燃焼式給湯器１０に上流側から流入する湯水の流量を調整するための水量サーボ弁１７が介装されている。
【００９２】
さらに、該出湯管３２には、熱交換器１３の下流側の箇所に、水撃緩衝弁１８が介装されている。この水撃緩衝弁１８は、燃焼式給湯器１０の熱交換器１３の下流側の出湯管３２において、下流側からの湯水の逆流を抑制するように機能する。該水撃緩衝弁１８は、一般に、当該逆流を完全に阻止するものではなく、下流側から上流側への少量の湯水の流通は可能である。
【００９３】
湯はり管１５は、熱交換器１３の下流側における出湯管３２から分岐されて、図示しない浴槽に接続されている。そして、この湯はり管１５には、該湯はり管１５を開閉する湯はり弁１９が介装されている。
【００９４】
燃焼式給湯器１０は、さらに、バーナ１２の燃焼運転、あるいは、バイパスサーボ弁１６、水量サーボ弁１７及び湯はり弁１９の作動制御等を行う機能を有する給湯コントローラ２１を備えている。該給湯コントローラ２１は、マイクロコンピュータ等を含む電子回路ユニットにより構成されている。
【００９５】
また、燃焼式給湯器１０の内部の出湯管３２には、上流側から該燃焼式給湯器１０に供給される湯水の全体の流量をバイパスサーボ弁１６の上流側で検出する流量センサ２２と、熱交換器１３の下流側におけるバイパス管１４との接続箇所から下流側に供給される湯水の温度（給湯器出湯温度）を当該接続箇所の下流側で検出する温度センサ２３とが装着されている。さらに、湯はり管１５には、該湯はり管１５で浴槽に供給される湯水の流量を検出する流量センサ２４が装着されている。
【００９６】
給湯コントローラ２１には、タンクコントローラ４１から、給湯運転又は湯はり運転を行うべき旨の指令、目標給湯温度又は目標湯はり温度を示すデータ、給湯運転時に燃焼式給湯器１０の加熱運転を許可するか否かを示す指令等が入力されると共に、上記流量センサ２２，２４及び温度センサ２３の検出データが入力される。
【００９７】
そして、給湯コントローラ２１は、給湯運転を行うことが指令され、且つ、燃焼式給湯器１０の加熱運転を行うことが許可されている状態では、流量センサ２２により所定の下限流量以上の通水が検知される場合に、温度センサ２３の検出温度が、目標温度になるように、バーナ１２の燃焼量とバイパスサーボ弁１６によるバイパス比とを制御する処理である加熱運転制御の処理を実行する。なお、この場合の上記目標温度は、目標給湯温度よりも高い温度に設定される。
【００９８】
また、給湯コントローラ２１は、湯はり運転を行うことが指令されている状態では、湯はり弁１９を開弁すると共に、温度センサ２３の検出温度が、目標温度（ここでは目標湯はり温度）になるように、加熱運転制御の処理を実行する。なお、湯はり運転時には、流量センサ２４の検出流量の積算値が、リモコン４３等で設定される目標湯はり量に達すると、湯はり弁１９が閉弁されると共に、燃焼式給湯器１０の加熱運転が終了される。
【００９９】
本実施形態では、上記したタンクコントローラ４１と給湯コントローラ２１とにより本発明における運転制御手段が構成される。
【０１００】
次に、本実施形態の給湯システムの給湯運転時及び湯はり運転時におけるタンクコントローラ４１及び給湯コントローラ２１の制御処理を図２〜図５を参照して詳説する。
【０１０１】
図２のフローチャートを参照して、給湯システムの電源が投入された当初の待機状態（給湯運転又は湯はり運転を行ことが要求されていない状態）で、バイパス弁３９がタンクコントローラ４１により開弁状態に制御されると共に、湯はり弁１９が給湯コントローラ２１により閉弁状態に制御されている（ＳＴＥＰ１）。
【０１０２】
この状態で、タンクコントローラ４１は、浴槽の湯はり運転の要求があるか否かを判断する（ＳＴＥＰ２）。
【０１０３】
この場合、タンクコントローラ４１は、リモコン４３の操作によって、湯はり運転を行うべきことが指示された場合、あるいは、あらかじめ設定されたスケジュールによって、湯はり運転を開始すべき時刻になった場合に、湯はり運転の要求があると判断する。
【０１０４】
そして、湯はり運転の要求があると判断した場合には、図３のフローチャートに示す制御処理がタンクコントローラ４１及び給湯コントローラ２１により実行される。また、ＳＴＥＰ２で、湯はり運転の要求が無い場合には、タンクコントローラ４１は、次にＳＴＥＰ３において、給水管３３における通水（カラン３５の開栓等に起因する給湯口への通水）の有無を判断する。
【０１０５】
この場合、タンクコントローラ４１は、給水管３３の流量センサ４９の検出流量があらかじめ設定された下限流量以上となった場合に、通水を検知する。
【０１０６】
そして、ＳＴＥＰ３で通水が検知されない場合には、タンクコントローラ４１は、ＳＴＥＰ２からの処理を継続する。
【０１０７】
また、ＳＴＥＰ３で通水が検知されると、ＳＴＥＰ４からの制御処理がタンクコントローラ４１及び給湯コントローラ２１により実行される。
【０１０８】
ＳＴＥＰ４では、タンクコントローラ４１は、貯湯タンク３１が湯切れ状態であるか否かを判断する。この場合、タンクコントローラ４１は、タンク温度センサ４８の検出温度が所定温度（ここでは目標給湯温度）よりも低いか否かによって、貯湯タンク３１が湯切れ状態であるか否かを判断する。
【０１０９】
ＳＴＥＰ４で、貯湯タンク３１が湯切れ状態でない場合には、ＳＴＥＰ５からの制御処理が実行される。ＳＴＥＰ５では、タンクコントローラ４１は、バイパス弁３９を全開状態に制御する。さらに、タンクコントローラ４１は、ＳＴＥＰ６において、燃焼式給湯器１０の加熱運転を禁止する旨の指令を給湯コントローラ２１に与える。
【０１１０】
そして、ＳＴＥＰ７において、タンクコントローラ４１により、カラン３５等の給湯口に供給される湯水の温度（給湯温度）をリモコン４３で設定された目標給湯温度に制御する温調制御が行われる。
【０１１１】
この温調制御では、燃焼式給湯器１０の加熱運転が禁止されているので、該燃焼式給湯器１０の加熱運転は行われない。そして、タンクコントローラ４１は、温度センサ５４（又は５３）の検出温度が目標給湯温度になるように、前記タンク出湯混合比を流量調整弁３７，３８により調整する。これにより、給湯温度が目標給湯温度に制御される。
【０１１２】
かかる温調制御と並行して、タンクコントローラ４１は、給水管３３が止水状態（通水が検知されない状態）になったか否かを判断する（ＳＴＥＰ８）。この場合、タンクコントローラ４１は、給水管３３の流量センサ４９の検出流量が下限流量未満になった場合に、止水状態を検知する。
【０１１３】
そして、給水管３３が止水状態でない場合には、ＳＴＥＰ４からの処理が継続される。また、給水管３３が止水状態になると、給湯運転が終了し、ＳＴＥＰ１からの制御処理が再開される。
【０１１４】
一方、給湯運転の継続等によって、ＳＴＥＰ４で貯湯タンク３１が湯切れ状態になったことが検知されると、ＳＴＥＰ９からの制御処理が実行される。
【０１１５】
ＳＴＥＰ９では、タンクコントローラ４１は、燃焼式給湯器１０の加熱運転を許可する旨の指令を給湯コントローラ２１に与える。
【０１１６】
そして、ＳＴＥＰ１０において、タンクコントローラ４１と給湯コントローラ２１との協働によって、給湯温度を目標給湯温度に制御する温調制御が行われる。
【０１１７】
この温調制御では、タンクコントローラ４１は、前記温度センサ５３により検出される前記タンク出湯混合湯水の温度が目標給湯温度よりも低い所定の混合目標温度以下となるように、前記タンク出湯混合比を流量調整弁３７，３８を介して調整する。
【０１１８】
また、給湯コントローラ２１は、温度センサ２３の検出温度（燃焼式給湯器１０から流出する湯水の温度）が目標給湯温度よりも所定温度だけ高い目標給湯器出湯温度になるように、バーナ１２の燃焼量とバイパスサーボ弁１６によるバイパス比とを制御する（加熱運転制御の処理を実行する）。なお、バイパス比を一定として、バーナ１２の燃焼量だけを制御するようにしてもよい。
【０１１９】
さらに、タンクコントローラ４１は、温度センサ５４により検出される温度（給湯温度の検出値）が、目標給湯温度になるように、バイパス弁３９の開度（ひいては、前記バイパス出口混合比）を制御する。
【０１２０】
これにより、給湯温度が目標給湯温度に制御される。なお、ＳＴＥＰ１０の制御処理は、本発明におけるバイパス混合給湯制御処理に相当する制御処理である。
【０１２１】
かかる温調制御と並行して、タンクコントローラ４１は、給水管３３が止水状態になったか否かを判断する（ＳＴＥＰ１１）。この判断は、前記ＳＴＥＰ８と同様に行われる。
【０１２２】
そして、給水管３３が止水状態でない場合には、ＳＴＥＰ４からの処理が継続される。また、給水管３３が止水状態になると、タンクコントローラ４１は、当該止水から第１の所定時間が経過したか否かをＳＴＥＰ１２で判断する。換言すれば、タンクコントローラ４１は、ＳＴＥＰ１０の温調制御の処理（バイパス混合給湯制御処理）を行う給湯運転の終了後の経過時間が第１の所定時間に達したか否かをＳＴＥＰ１２で判断する。該第１の所定時間は、本発明における「所定時間」に相当するものである。本実施形態では、該第１の所定時間は、例えば２０分である。
【０１２３】
ここで、ＳＴＥＰ１０の温調制御が行われる給湯運転では、燃焼式給湯器１０の加熱運転によって、燃焼式給湯器１０から出湯管３２に下流側に流出する湯水の温度が目標給湯温度よりも高い目標給湯器出湯温度になるように制御される。
【０１２４】
このため、当該給湯運転の終了直後は、燃焼式給湯器１０の出湯管３２（詳しくは熱交換器１３の下流側から第３途中部３２ｚに至る出湯管３２）の内部に目標給湯温度よりも高い温度の湯水が残留する。
【０１２５】
そして、上記第１の所定時間（２０分）は、当該残留する湯水が目標給湯温度よりも低い温度に冷めるまでに必要な時間として、あらかじめ実験等に基づき設定された時間である。
【０１２６】
そして、ＳＴＥＰ１２の判断結果が肯定的である場合（給水管３３が止水状態になってからの経過時間が第１の所定時間（２０分）に達した場合）には、ＳＴＥＰ１からの制御処理が再開される。
【０１２７】
一方、ＳＴＥＰ１２の判断結果が否定的である場合（給水管３３が止水状態になってからの経過時間が所定時間（２０分）に達していない場合）には、タンクコントローラ４１は、ＳＴＥＰ１３において、湯はり運転の要求があるか否かを判断する。この判断は、前記ＳＴＥＰ２と同様に行われる。
【０１２８】
ＳＴＥＰ１３で湯はり運転の要求が無い場合には、タンクコントローラ４１は、ＳＴＥＰ１５において、給水管３３における通水の有無を判断する。この判断は、前記ＳＴＥＰ３と同様に行われる。
【０１２９】
そして、ＳＴＥＰ１５で通水が検知されない場合には、ＳＴＥＰ１２からの処理が繰り返される。また、ＳＴＥＰ１５で通水が検知された場合には、前記ＳＴＥＰ４からの処理が実行される。
【０１３０】
ＳＴＥＰ１３で湯はり運転の要求がある場合には、タンクコントローラ４１は、ＳＴＥＰ１４の処理を実行し、さらに図３のフローチャートに示す制御処理（湯はり運転の制御処理）を給湯コントローラ２１と協働して実行する。
【０１３１】
上記ＳＴＥＰ１４では、タンクコントローラ４１は、タイマを起動して、該タイマによる計時を開始する。これにより、湯はり運転の開始時からの経過時間の計時が開始される。なお、タイマは、計時時間があらかじめ定められた第２の所定時間に達すると、計時を終了するタイマ（例えばカウントダウンタイマ）である。該第２の所定時間は、本実施形態では例えば６０秒である。
【０１３２】
前記ＳＴＥＰ２又は１３で湯はり運転の要求があった場合に、図３のフローチャートに示す制御処理は次のように実行される。
【０１３３】
まず、ＳＴＥＰ１６において、給湯コントローラ２１は、タンクコントローラ４１からの指令により湯はり弁１９を開弁状態に制御する。これにより、浴槽への湯水の供給を行う湯はり運転が開始される。
【０１３４】
次いで、ＳＴＥＰ１７において、タンクコントローラ４１は、前記タイマが計時中であるか否か（すなわち、該タイマの計時時間が第２の所定時間に達する前の状態であるか否か）を判断する。
【０１３５】
ここで、湯はり運転の開始時のＳＴＥＰ１７で前記タイマが計時中である状況は、今回の湯はり運転の開始前に、ＳＴＥＰ１０の温調制御を行う給湯運転が実行されており、且つ、該給湯運転の終了後の経過時間が前記第１の所定時間（２０分）に達していない状態で今回の湯はり運転が開始された状況である。この状況は、換言すれば、今回の湯はり運転の開始時から第１の所定時間前（２０分前）までの期間内でＳＴＥＰ１０の温調制御を行う給湯運転が実行された状況である。この状況では、燃焼式給湯器１０の熱交換器１３の下流側の出湯管３２の内部に目標給湯温度よりも高い温度の湯水が残留している可能性が高い状態である。
【０１３６】
一方、湯はり運転の開始時のＳＴＥＰ１７で前記タイマが計時中でない状況は、今回の湯はり運転の開始前に、ＳＴＥＰ１０の温調制御を行う給湯運転が実行されていないか、又は該給湯運転の終了後の経過時間が前記第１の所定時間に達した後に今回の湯はり運転が開始された状況である。この状況は、換言すれば、今回の湯はり運転の開始時から第１の所定時間前（２０分前）までの期間内でＳＴＥＰ１０の温調制御を行う給湯運転が実行されていない状況である。従って、この状況では、燃焼式給湯器１０の熱交換器１３の下流側の出湯管３２の内部に目標給湯温度よりも高い温度の湯水が残留していることはない。
【０１３７】
そこで、ＳＴＥＰ１７で前記タイマが計時中でない場合には、タンクコントローラ４１は、ＳＴＥＰ１８においてバイパス弁３９を閉弁状態に制御する。従って、今回の湯はり運転の開始時から第１の所定時間前までの期間内でＳＴＥＰ１０の温調制御を行う給湯運転が実行されていない場合には、今回の湯はり運転の開始時に直ちに、バイパス弁３９が閉弁状態に制御される。
【０１３８】
一方、ＳＴＥＰ１７で前記タイマが計時中である場合には、タンクコントローラ４１は、最終的にＳＴＥＰ１７で前記タイマが計時中でないこと（計時が終了したこと）が確認されるまで、ＳＴＥＰ１９において、バイパス弁３９を例えば現状開度に保持する。該現状開度は、ＳＴＥＰ１０の温調制御を行う給湯運転の終了時の開度（開弁状態の開度）である。なお、該バイパス弁３９の開度は既定値の開度でもよい。
【０１３９】
ここで、前記ＳＴＥＰ１６で湯はり弁１９を開弁しているので、ＳＴＥＰ１８でバイパス弁３９を閉弁状態にした場合には、出湯管３２の第１途中部３２ｘから下流側に流れるタンク出湯混合湯水の全体が、燃焼式給湯器１０の熱交換器１３の上流側の出湯管に流入し、さらに、該熱交換器１３の下流側から湯はり管１５を通って浴槽に供給される。
【０１４０】
一方、ＳＴＥＰ１９でバイパス弁３９を開弁状態の開度に保持した場合には、タンク出湯混合湯水の多くは、第２途中部３２ｙから燃焼式給湯器１０の熱交換器１３の上流側の出湯管３２に流入し、さらに、該熱交換器１３の下流側から湯はり管１５を通って浴槽に供給される。
【０１４１】
ただし、燃焼式給湯器１０における湯はり管１５の分岐箇所の下流側で出湯管３２に介装されている水撃緩衝弁１８は、下流側から上流側への湯水の流通がある程度可能である。このため、タンク出湯混合湯水の一部は、出湯バイパス管３４及び第３途中部３２ｚを経由して、燃焼式給湯器１０の出湯管３２に下流側から流入し、さらに、水撃緩衝弁１８を逆流方向に通った後に、湯はり管１５を通って浴槽に供給される。
【０１４２】
この場合、湯はり運転の開始直後に燃焼式給湯器１０の出湯管３２に下流側から流入する湯水の温度は、該出湯管３２に残留していた湯水の温度よりも低いので、熱交換器１３の下流側の出湯管３２の湯水の温度が低下する。
【０１４３】
上記の如くバイパス弁３９を閉弁状態又は開弁状態に制御した状態で、ＳＴＥＰ２０において、タンクコントローラ４１及び給湯コントローラ２１の協働によって、浴槽に供給する湯水の温度（湯はり温度）を制御する湯はり温調制御処理が実行される。
【０１４４】
この湯はり温調制御処理は、図４のフローチャートで示す如く実行される。すなわち、タンクコントローラ４１は、ＳＴＥＰ３１において、貯湯タンク３１の湯切れ状態であるか否かを判断する。この判断処理は、前記ＳＴＥＰ４と同様に行われる。
【０１４５】
ＳＴＥＰ３１で、貯湯タンク３１が湯切れ状態でない場合には、ＳＴＥＰ３２，３３の制御処理が実行される。ＳＴＥＰ３２では、タンクコントローラ４１は、燃焼式給湯器１０の加熱運転を禁止する旨の指令を給湯コントローラ２１に与える。
【０１４６】
そして、ＳＴＥＰ３３において、タンクコントローラ４１により、浴槽に供給する湯水の温度（湯はり温度）をリモコン４３で設定された目標湯はり温度に制御する温調制御が実行される。
【０１４７】
この温調制御では、燃焼式給湯器１０の加熱運転が禁止されているので、該燃焼式給湯器１０の加熱運転は行われない。そして、タンクコントローラ４１は、温度センサ５３（又は２３）の検出温度が目標湯はり温度になるように、前記タンク出湯混合比を流量調整弁３７，３８により調整する。これにより、浴槽に供給される湯水の温度が目標湯はり温度に制御される。
【０１４８】
また、ＳＴＥＰ３１で貯湯タンク３１が湯切れ状態になったことが検知された場合には、ＳＴＥＰ３４，３５の制御処理が実行される。ＳＴＥＰ３４では、タンクコントローラ４１は、燃焼式給湯器１０の加熱運転を許可する旨の指令を給湯コントローラ２１に与える。
【０１４９】
そして、ＳＴＥＰ３５において、タンクコントローラ４１と給湯コントローラ２１との協働によって、給湯温度を目標給湯温度に制御する温調制御が行われる。
【０１５０】
この温調制御では、タンクコントローラ４１は、前記温度センサ５３により検出される前記タンク出湯混合湯水の温度が目標湯はり温度よりも低い所定の混合目標温度以下となるように、前記タンク出湯混合比を流量調整弁３７，３８を介して調整する。
【０１５１】
また、給湯コントローラ２１は、熱交換器１３の下流側の温度センサ２３の検出温度（浴槽に供給される湯水の温度の検出値）が目標湯はり温度になるように、バーナ１２の燃焼量とバイパスサーボ弁１６によるバイパス比とを制御する（加熱運転制御の処理を実行する）。なお、バイパス比を一定として、バーナ１２の燃焼量だけを制御するようにしてもよい。
【０１５２】
これにより、浴槽に湯はり管１５から供給される湯水の温度が、目標湯はり温度にほぼ一致するように制御される。
【０１５３】
図３に戻って、上記の如く湯はり温調制御処理がＳＴＥＰ２０で実行されるのと並行して、タンクコントローラ４１は、割り込み給湯の有無をＳＴＥＰ２１で判断する。該割り込み給湯は、浴槽の湯はり運転中に出湯管３２に給湯口が開栓される（例えばカラン３５が開栓される）ことに応じて給湯口への給湯を行うものである。
【０１５４】
かかる割り込み給湯が開始されると、給水管３３の給水流量が、湯はり管１５で浴槽に流れる湯水の流量よりも多くなる。そこで、タンクコントローラ４１は、給水管３３の流量センサ４９の検出流量が、湯はり管１５の流量センサ２４の検出流量よりも所定量以上大きくなった場合に、割り込み給湯がなされたことを検知する。
【０１５５】
ＳＴＥＰ２１で割り込み給湯が検知されない場合には、タンクコントローラ４１（又は給湯コントローラ２１）は、ＳＴＥＰ２２で浴槽の湯はりが完了したか否かを判断する。
【０１５６】
この場合、湯はり管１５の流量センサ２４の検出流量の積算値（湯はり運転の開始時からの積算値）が、リモコン４３で設定される目標湯はり量に達した場合に、湯はりが完了したと判断される。
【０１５７】
そして、ＳＴＥＰ２２で湯はりが完了していない場合には、ＳＴＥＰ１７からの制御処理が継続する。
【０１５８】
また、ＳＴＥＰ２２で湯はりが完了した場合には、湯はり運転が終了し、ＳＴＥＰ１からの制御処理が再開される。
【０１５９】
以上のようにして湯はり運転が行われる。この場合、湯はり運転の開始時のＳＴＥＰ１４でタイマが起動された場合には、該タイマの計時が終了するまで（湯はり運転の開始時から第２の所定時間（６０秒）が経過するまで）、バイパス弁３９が開弁状態とされ、該タイマの計時が終了した後は、ＳＴＥＰ１８の処理によって、バイパス弁３９が閉弁状態に制御される。従って、湯はり運転では、その開始直後に前記タイマが計時中となっている期間（これは本発明における所定期間に相当する）を除いて、バイパス弁３９が閉弁状態に維持される。
【０１６０】
補足すると、前記ＳＴＥＰ１０の温調制御を行う給湯運転時に、例えば目標給湯温度が比較的高い場合、あるいは、給水管３３の流量が少量である場合には、バイパス弁３９を閉弁状態に保持してもよい。この場合には、該給湯運転の終了時における燃焼式給湯器１０の熱交換器１３の下流側の出湯管３２の内部の湯水の温度は、目標給湯温度もしくはそれに近い温度となっている。
【０１６１】
従って、この場合には、ＳＴＥＰ１９でバイパス弁３９を閉弁状態に制御してもよい。ＳＴＥＰ１９でバイパス弁３９を開弁状態に制御することは、ＳＴＥＰ１０の温調制御を行う給湯運転時（詳しくは、今回の湯はり運転の開始時から第１の所定時間前までの期間内での当該給湯運転時）に、バイパス弁３９が開弁状態の開度に制御された場合にだけ行うようにしてもよい。
【０１６２】
ＳＴＥＰ２１で割り込み給湯がなされたことが検知された場合には、ＳＴＥＰ２３において、給湯コントローラ２１はタンクコントローラ４１の指令により、湯はり弁１９を閉弁状態に制御する。これにより、浴槽の湯はり運転が一旦、中断される。
【０１６３】
そして、給湯コントローラ２１及びタンクコントローラ４１の協働によって、前記したたＳＴＥＰ４からの制御処理が実行される。これにより、給湯口に供給する湯水の温度（給湯温度）が目標給湯温度になるように制御される。
【０１６４】
なお、この場合、給湯管３３が止水状態となって割り込み給湯が終了すると（ＳＴＥＰ８又はＳＴＥＰ１１の判断結果が肯定的となると）、その直後に実行されるＳＴＥＰ２又はＳＴＥＰ１３の処理における判断結果が肯定的となって、湯はり運転が再開される。
【０１６５】
また、タイマの計時中に割り込み給湯が行われた場合には、該タイマの計時が継続する。ただし、ＳＴＥＰ１０の温調制御が行われる割り込み給湯の終了後に、湯はり運転が再開される場合には、該湯はり運転の再開時にＳＴＥＰ１４でタイマが再起動される。
【０１６６】
以上のようにして湯はり運転中に、割り込み給湯があった場合には、湯はり運転が一旦、中断され、割り込み給湯の終了後に、湯はり運転が再開される。
【０１６７】
以上説明した実施形態によれば、ＳＴＥＰ１０の温調制御（詳しくは、バイパス弁３９が開弁状態の開度に制御される温調制御）を行う給湯運転が実行される給湯運転が行われた後、該給湯運転の終了後の経過時間が前記第１の所定時間（２０分）に達していない状態で、湯はり運転を開始した場合に、該湯はり運転の開始直後は、タイマの計時が終了するまで（湯はり運転の開始時からの経過時間が第２の所定時間（６０秒）に達するまで）、バイパス弁３９が開弁状態に制御される。
【０１６８】
このため、タイマの計時中に割り込み給湯が行われた場合には、燃焼式給湯器１０の出湯管３２からの湯水と前記第２途中部３２ｙから出湯バイパス管３４を通って下流側に流れてくる湯水とが第３途中部３２ｚで混合された後に、給湯口に供給される。
【０１６９】
この場合、第２途中部３２ｙに上流側から供給されるタンク出湯混合湯水の温度は、前記ＳＴＥＰ１０の温調制御が行われる給湯運転時の終了時における燃焼式給湯器１０の熱交換器１３の下流側の出湯管３２（第３途中部３２ｚよりも燃焼式給湯器１０側の出湯管３２）の湯水の温度よりも低い。
【０１７０】
従って、湯はり運転中に、前記タイマの計時中となっている途中で、割り込み給湯が行われても、給湯口に目標給湯温度に比して高温の湯が供給されるのが防止される。
【０１７１】
また、ＳＴＥＰ１０の温調制御を行う給湯運転の終了後の経過時間が前記第１の所定時間（２０分）に達した後に開始された湯はり運転の途中で割り込み給湯が行われた場合、あるいは、湯はり運転中にタイマの計時が終了した後に、割り込み給湯が行われた場合には、該割り込み給湯の開始時にバイパス弁３９が閉弁状態に制御されている。
【０１７２】
ただし、この場合、該割り込み給湯の開始時には、第３途中部３２ｚよりも燃焼式給湯器１０側の出湯管３２の湯水の温度は既に十分に低下している。
【０１７３】
従って、当該割り込み給湯においても、その開始直後に、給湯口に目標給湯温度に比して高温の湯が供給されるのが防止される。
【０１７４】
また、タイマの計時終了後の湯はり運転では、バイパス弁３９が閉弁されているので、出湯管３２の第１途中部３２ｘから下流側に流れるタンク出湯混合湯水の全量が、燃焼式給湯器１０のその上流側から供給される。このため、浴槽に供給する湯水の温度を好適に目標湯はり温度に制御することができる。
【０１７５】
次に、以上説明した実施形態の変形態様を説明する。
【０１７６】
前記実施形態では、ＳＴＥＰ１０の温調制御を行う給湯運転が実行される給湯運転が行われた後、該給湯運転の終了後の経過時間が前記第１の所定時間（２０分）に達していない状態で、湯はり運転が開始された場合に、タイマの計時が終了するまで（湯はり運転の開始時からの経過時間が第２の所定時間（６０秒）に達するまで）、バイパス弁３９を一定開度の開弁状態に制御したが、該バイパス弁３９の開度を、タイマの計時中に徐々に減少させていくようにしてもよい。例えば、タイマの計時中に、バイパス弁３９の開度を一定の減少速度で減少させたり、あるいは、タイマの計時終了時にバイパス弁３９の開度がゼロになるように該バイパス弁３９の開度を徐々に減少させるようにしてもよい。
【０１７７】
このようにした場合には、タイマの計時中に割り込み給湯が行われた場合に、該割り込み給湯の開始タイミングがタイマの計時終了の時刻に近いほど、該割り込み給湯の開始直後に出湯バイパス管３４を通って第３途中部３２ｚに流入する湯水（燃焼式給湯器１０側からの第３途中部３２ｚに流れる湯水に混合する湯水）の流量を抑制できる。
【０１７８】
このため、第３途中部３２ｚよりも燃焼式給湯器１０側の出湯管３２内の湯水の温度に適した量の湯水を出湯バイパス管３４から第３途中部３２ｚに流入させることができる。ひいては、割り込み給湯の開始直後に給湯口に供給される湯水の温度が低くなり過ぎないようにして、該湯水の温度を速やかに目標給湯温度に近づけることができる。
【０１７９】
また、前記実施形態では、ＳＴＥＰ１０の温調制御を行う給湯運転が実行される給湯運転が行われた後、該給湯運転の終了後の経過時間が前記第１の所定時間（２０分）に達していない状態で、湯はり運転が開始された場合に、該湯はり運転の開始直後に、バイパス弁３９を開弁状態に制御する期間を、該湯はり運転の開始時から一定時間としての第２の所定時間（６０秒）が経過するまでの期間とした。
【０１８０】
ただし、湯はり運転の開始時からバイパス弁３９を開弁状態に制御する期間の時間を、例えば、ＳＴＥＰ１０の温調制御を行う給湯運転の終了時から湯はり運転の開始時までの時間（以降、時間Ｘという）に応じて可変的に設定してもよい。この場合、時間Ｘが長いほど、湯はり運転の開始時において燃焼式給湯器１０の熱交換器１３の下流側の出湯管３２内の湯水の温度が低下していると考えられる。従って、例えば、時間Ｘが長いほど、バイパス弁３９を開弁状態に制御する期間の時間が短くなるようにしてもよい。
【０１８１】
このようにした場合には、湯はり運転中にバイパス弁３９を開弁状態に保持する期間を必要最小限の時間に留めることができる。
【０１８２】
さらには、例えば、燃焼式給湯器１０の熱交換器１３の下流側（湯はり管１５の分岐箇所よりも下流側）の出湯管３２内の湯水の温度を検出する温度センサを備える場合には、湯はり運転の開始直後にバイパス弁３９を開弁状態に保持する期間を、当該温度センサによる検出温度に応じて決定するようにしてもよい。例えば、湯はり運転の開始後、当該検出温度が目標給湯温度に一致もしくはほぼ一致する温度に低下するまで、バイパス弁３９を開弁状態に制御するようにしてもよい。
【０１８３】
また、前記実施形態では、燃焼式給湯器１０内の出湯管３２には、熱交換器１３の下流側に水撃緩衝弁１８が介装されているが、該水撃緩衝弁１８が省略されていてもよい。
【０１８４】
また、前記実施形態では、貯湯タンク３１の湯切れ状態を検知するために、貯湯タンク３１に装着した温度センサ４８を使用したが、例えば次のような手法で湯切れ状態を検知することも可能である。
【０１８５】
すなわち、貯湯タンク３１の沸き上げ状態（残湯量の満杯状態）から、貯湯タンク３１から出湯管３２に流れる湯水（所定温度以上の湯水）の流量を適宜の流量センサにより検出し、その検出値を積算する。そして、該流量の検出値の積算値を、貯湯タンク３１の容量から減算することにより、貯湯タンク３１の残湯量を推定する。この残湯量の推定値を、湯切れ状態判定用の閾値を比較することで、貯湯タンク３１の湯切れ状態を検知することもできる。
【符号の説明】
【０１８６】
１０…燃焼式給湯器、１５…湯はり管、１９…湯はり弁、２１…給湯コントローラ（運転制御手段）、３１…貯湯タンク、３２…出湯管、３２ｙ…第２途中部（途中部（Ａ））、３２ｚ…第３途中部（途中部（Ｂ））、３３…給水管、３４…出湯バイパス管、３９…バイパス弁、４１…タンクコントローラ（運転制御手段）。
【図１】
2015025625.tif 000003
【図３】
2015025625.tif 000004
【図４】
2015025625.tif 000005
【図２】
2015025625.tif 000006